(57)【要約】【課題】  動作不良となったブロックのみの動作を停止することにより、障害復帰処理作業を容易にするととともに、通帳類作成の歩留まりも向上できるようにする。【解決手段】  通帳類を取り込む第１のブロック８１と、この第１のブロック８１によって取り込まれた通帳類Ｔに情報を印刷する第２のブロック８２と、この第２のブロック８２で情報が印刷された通帳類Ｔを排出する第４のブロック８４と、前記第１、第２、第４の各ブロック８１，８２，８４の動作状態を判別するジャムセンサと、前記第１、第２、第４の各ブロック８１，８２，８４の動作を独立的に制御し、ジャムセンサによって動作状態が不良と判別されたブロックのみの動作を停止させるように制御する主制御部９１とを具備する。【選択図】      図１
2006281666.tif 000002
【特許請求の範囲】
【請求項１】
通帳類を取り込む取込ブロックと、
この取込ブロックによって取り込まれた通帳類に情報を印刷する印刷ブロックと、
この印刷ブロックで情報が印刷された通帳類を排出する排出ブロックと、
前記取込、印刷、及び排出の各ブロックの動作状態を判別する判別手段と、
前記取込、印刷、及び排出の各ブロックの動作を独立的に制御し、前記判別手段によって動作状態が不良と判別されたブロックのみの動作を停止させるように制御する制御手段
とを具備することを特徴とする通帳類印刷装置。
【請求項２】
前記制御手段は、前記取込、印刷、及び排出の各ブロック毎にその動作を制御する複数の制御部を有し、これら制御部を介して前記各ブロックの動作を制御することを特徴とする請求項１記載の通帳類印刷装置。
【請求項３】
前記取込、印刷、及び排出の各ブロック内には通帳類は最大でも１冊までしか存在しないことを特徴とする請求項１記載の通帳類印刷装置。
【請求項４】
前記取込、印刷、及び排出の各ブロックは、前記通帳類を搬送する搬送部をそれぞれ有し、前記ブロック間での通帳類の受け渡しを除いて他のブロックの影響を受けることなく独立的に通帳類を搬送できることを特徴とする請求項１記載の通帳類印刷装置。
【請求項５】
前記制御手段は、前記取込、印刷、及び排出の各ブロックのうちの何れかの動作を停止させた場合、そのブロックの下流側に位置するブロックの動作は継続させ、上流側に位置するブロックは一時的に動作を停止させることを特徴とする請求項１記載の通帳類印刷装置。
【発明の詳細な説明】
【技術分野】
【０００１】
本発明は、例えば、金融機関やＩＤカードとして用いられる通帳類の印刷装置に関する。
【背景技術】
【０００２】
通帳等の媒体に単色または複数色の印刷を行う印刷装置のひとつに中間転写フィルムを用いる中間転写方式の印刷装置が知られている。
【０００３】
この印刷装置の構成は、印刷部のユニットと転写部のユニットと、両ユニットをまたがるように配置された中間転写フィルムを搬送する中間転写フィルム搬送部とを備えている。印刷部はサーマルヘッド及びインクリボンを有している。転写部はヒートローラ及びバックアップローラを有している。中間転写フィルム搬送部はフィルム搬送ローラ及びこのフィルム搬送ローラに中間転写フィルムを固定するためのクランパさらに、クランパ開閉手段を有している。
【０００４】
情報を印刷転写する場合には、まず、中間転写フィルムを印刷部に搬送する。そして、この印刷部にてサーマルヘッドを所定情報に応じて発熱させてインクリボンのインクを溶融しながら中間転写フィルムを搬送する。これにより、中間転写フィルムの表面に文字や画像等の印刷情報が印刷される。情報が印刷された中間転写フィルムは転写部のヒートローラとバックアップローラとの間に搬送される。このときには、通帳類がヒートローラとバックアップローラとの間に送り込まれて中間転写フィルムに対向される。
【０００５】
この状態からヒートローラが回転されて中間転写フィルム及び通帳類がバックアップローラに押し付けられるとともに加熱されることにより印刷情報が通帳類の表面に転写される（例えば、特許文献１参照。）。
【０００６】
中間転写フィルムは長尺の基材フィルムと、この基材フィルム上の塗布された転写層とにより構成され、転写部においては転写層上に印刷された印刷情報とともに転写層が被転写媒体に転写される。
【０００７】
ところで、従来、通帳類の印刷工程と、ページ捲りなどの印刷前工程、通帳類の折畳みや集積などの印刷後工程において、通帳類印刷装置内に複数の通帳類を取り込み、並行して工程を進めることで通帳作成の効率を向上させることが行われている。
【０００８】
このため、装置内には複数の通帳類が存在することになり、個々の通帳類の状態管理が不可欠となっている。
【特許文献１】特開２００３−０２２９３号公報
【発明の開示】
【発明が解決しようとする課題】
【０００９】
しかしながら、従来においては、上記した印刷工程、印刷前工程、或いは印刷後工程において、通帳ジャム等の障害が発生した場合、装置全体の工程を停止して障害対象となった通帳の抜き取りを行っていたため、装置内の各工程が並行して動作している関係上、全ての工程を停止させるタイミングを図ることが困難なものとなっていた。
【００１０】
また、障害が発生した時点で全ての工程を強制的に停止させた場合、復帰時のためにどのような状態で通帳が停止させられたかを管理する必要があり、障害復帰時の処理動作も非常に煩雑となる。
【００１１】
さらに、装置内の通帳類全てを抜き取ることは、操作員の負担になるばかりではなく、工程中の通帳が廃棄になるため、通帳作成の歩留まりも低下してしまう。
【００１２】
本発明は上記事情に着目してなされたもので、その目的とするところは、通帳類の取出、印刷及び排出の各ブロックの何れかが動作不良となった場合には、そのブロックのみ動作を停止することにより、障害復帰処理作業を容易にするととともに、通帳類作成の歩留まりも向上できるようにした通帳類印刷装置を提供することにある。
【課題を解決するための手段】
【００１３】
上記課題を解決するため、請求項１記載のものは、通帳類を取り込む取込ブロックと、この取込ブロックによって取り込まれた通帳類に情報を印刷する印刷ブロックと、この印刷ブロックで情報が印刷された通帳類を排出する排出ブロックと、前記取込、印刷、及び排出の各ブロックの動作状態を判別する判別手段と、前記取込、印刷、及び排出の各ブロックの動作を独立的に制御し、前記判別手段によって動作状態が不良と判別されたブロックのみの動作を停止させるように制御する制御手段とを具備することを特徴とする。
【発明の効果】
【００１４】
本発明によれば、装置の障害復帰処理作業が容易になるとともに、通帳類作成の歩留まりも向上できる。
【発明を実施するための最良の形態】
【００１５】
以下、本発明を図面に示す実施の形態を参照して詳細に説明する。  
図１は本発明の一実施の形態である通帳類印刷装置１を示す全体構成図である。
【００１６】
この通帳類印刷装置１は通帳類取込部４を備え、この通帳類取込部４には通帳類Ｔが閉じた状態で複数冊積層状態でセットされている。このセットされた通帳類Ｔは、一冊づつ取り込まれて搬送ローラ対２によって搬送路３に沿って搬送される。搬送路３中には通帳類Ｔの搬送方向に沿って第１のＯＣＲ読取部５、頁捲り部６、直接印刷部７、中間転写印刷部８、第２のＯＣＲ読取部９、及び通帳類折畳み部１４、さらに、無線ＩＣ Ｒ／Ｗユニット１０が配設されている。
【００１７】
また、搬送路３の排出端側には通帳類Ｔの排出方向を第１の方向と第２の方向に切り換える排出ゲート１１が設けられ、第１の方向には正常な通帳類Ｔを集積させる正常通帳集積部１２、第２の方向には不良な通帳類を集積させる不良通帳集積部１３が配設されている。
【００１８】
上記した通帳類取込部４は、複数の通帳類Ｔを重ねたまま投入可能であり、制御部の指示に応じて最も下側の１冊のみが取出手段であるピッカ（図示しない）によって取り出され、第１のＯＣＲ読取部５の方向に取り込まれる。
【００１９】
第１のＯＣＲ読取部５は、隣の頁捲り装置６で必要な頁が開かれた通帳類Ｔに初めから付与されている後述する通帳固有番号を、ＯＣＲで認識するものである。通帳固有番号は、後述するように一定のエリアに文字で表現されている。ここでは英数字が使われている。
【００２０】
頁捲り装置６は、通帳類取込部４から取り込まれた通帳類Ｔの表紙を捲ったり、さらに内側の中紙をめくる機能を有する。めくった頁の認識は、通帳類Ｔに当初より印刷されているバーマークを、図示しないバーマークリーダで読み取ることで行う。
【００２１】
直接印刷部７は、印刷する通帳類Ｔの印刷頁表面上に、インクリボン７ｂ、サーマルヘッド７ａの順に押し当てて、サーマルヘッド７ａが選択的に発熱することで画像や文字を印刷する。この実施の形態では、中間転写印刷部８で印刷される情報に比べて、セキュリティ度合いが低い情報を直接印刷部７によって印刷する。
【００２２】
なお、通帳類Ｔの全てが直接印刷部７で印刷されるわけではなく、また、直接印刷部７で印刷される頁は、中間転写印刷部８で印刷される頁とは異なる。このため、直接印刷部７での印刷が発生した場合は、まず印刷する頁を頁捲り装置６で捲り出して直接印刷を行った後に、再度頁捲り装置６に搬送して中間転写印刷を行う頁を捲り出す。直接印刷部７で印刷される情報がない場合は、通帳類Ｔは直接印刷部７を通過する。
【００２３】
図２は、上記した中間転写印刷部８を示すものである。
【００２４】
中間転写印刷部８は機能的に情報印刷部（以下、印刷部という）１６と、オーバーコート転写部（以下、転写部という）１７とを有して構成されている。
【００２５】
印刷部１６としては熱溶融転写印刷方式のものが採用されている。即ち、サーマルヘッド１９とプラテンローラ２０に挟まれるように溶融インクリボン２２と中間転写フィルム２１とを配置し、サーマルヘッド１９により溶融インクリボン２２のインクを中間転写フィルム２１の表面に転写して情報等を印刷する。
【００２６】
この熱溶融転写方式の特徴としては、画像耐久性が高いこと、インク材料に機能性材料を適用することが比較的容易なこと（例えば蛍光顔料、アルミ蒸着薄膜）などがあり、偽造防止を目的とする印刷物に適している。
【００２７】
溶融インクリボン２２のベースフィルム厚やインク層厚は、印刷ドット再現性に極めて重要なパラメータであり、インクリボン層厚としては３〜２５μｍであり、望ましくは４〜１０μｍである。
【００２８】
一方、中間転写フィルム２１の後述するベースフィルムの厚さや、受像兼接着層厚は、接着性や膜切れ特性に影響を与えるパラメータであり、中間転写フィルム２１の層厚は、１０〜１００μｍであり、望ましくは２５〜５０μｍである。
【００２９】
プラテンローラ２０は硬質のゴム材料を表面に用いたローラで、ゴム硬度が上がるほどに微小ドットの再現性が向上するが、同時に最適なプラテンローラ２０とサーマルヘッド１９の位置関係を得ることが難しくなる。このため、硬度は７５°以上、望ましくは８５〜９７°である。同時に研磨したゴム表面の表面粗さも、表面平滑性が上がるほどに微小ドットの再現性が向上する。このため、表面粗さは中心線平均粗さＲａで１μｍ以下、望ましくは０．５μｍ程度であることが要求される。
【００３０】
中間転写フィルム２１を搬送する駆動力は、一般的にプラテンローラ２０に駆動機構を設けることが多いが、上記の硬度と平滑性から中間転写フィルム２１とプラテンローラ２０の摩擦係数が上がらず、また安定しない。このため、プラテンローラ２０の下流（ヒートローラ側）直近に別途フィルム駆動ローラ２３を設ける。フィルム駆動ローラ２３は硬度３０〜６０度のローラを用い、中間転写フィルム２１はフィルム駆動ローラ２３に対して出来るだけ巻付き角が大きいほうが良い。実施例では９０°から１３０°の巻き付き角をえられるようにテンショナ２４を配置する。
【００３１】
テンショナ２４には図示しないバネ機構が設けられ、限られた可動範囲内で中間転写フィルム２１にテンションを与えて、フィルム駆動ローラ２３と中間転写フィルム２１が常に適切に接触する状態を作り出す。フィルム駆動ローラ２３の駆動は５相ステッピングモータ、タイミングベルト、プーリによる減速機構の組み合わせにより、正確に搬送が行われる。また、サーマルヘッド１９はニアエッジ、またはコーナエッジタイプのヘッドを用い、熱時剥離による印刷を行うことが望ましい。
【００３２】
また、転写部１７は通帳類搬送路３を介して対向配置されるヒートローラ３５とバックアップローラ３６を備えている。ヒートローラ３５はＤＣサーボモータ若しくはステッピングモータにより正確に一定速度で駆動可能になっており、回転自在なバックアップローラ３６との間にはコイルバネ３７で発生された圧力が付与されるようになっている。
【００３３】
図３（ａ）〜（ｃ）は中間転写フィルム２１の構成を示す断面図である。
【００３４】
図３（ａ）に示す中間転写フィルム２１は、基材としてのポリエチレンテレフタレート（以下、ＰＥＴという）のフィルム２６の表面に、透明樹脂によるホログラム形成層と金属化合物の蒸着層による透明ホログラム層２８、受像層兼接着層としてのポリエステル系樹脂２９を積層したものである。
【００３５】
また、図３（ｂ）に示す中間転写フィルム２１は、基材としてのＰＥＴフィルム２６の表面に、剥離層としてのフェノキシ系樹脂２７、透明樹脂によるホログラム形成層と金属化合物の蒸着層による透明ホログラム層２８、受像層兼接着層としてのポリエステル系樹脂２９を積層したものである。
【００３６】
さらに、図３（ｃ）に示す中間転写フィルム２１は、基材としてのＰＥＴフィルム２６の表面に、剥離層としてのフェノキシ系樹脂２７、保護層３０、透明樹脂によるホログラム形成層と金属化合物の蒸着層による透明ホログラム層２８、受像層兼接着層としてのポリエステル系樹脂２９を積層したものである。
【００３７】
その他、中間転写フィルム２１としては紫外線によって発光する蛍光発色層などの機能層を設け、転写対象への転写と同時にこれらの機能層も転写するものであってもよい。
【００３８】
図４は上記した通帳類取込部４にセットされる通帳類Ｔを開いた状態で示すものである。
【００３９】
この通帳類Ｔは表紙Ｔａを有し、この表紙Ｔａには綴じ目部Ｔｔを介して複数枚の中紙Ｔｎが綴じ込められている。中紙Ｔｎには通帳類固有情報としての通帳類固有番号４２が記録されているとともに、無線ＩＣ４３が装備されている。
【００４０】
次に、上記したように構成される通帳類印刷装置１の動作について説明する。
【００４１】
まず、図１に示す通帳類取込部４から通帳類Ｔが１冊づつ取出されて頁捲り部６に搬送され、ここで、通帳類Ｔの表紙Ｔａが後述するように捲られて所定のページが開いた状態となる。この後、第１のＯＣＲ読取部５で通帳類Ｔそれぞれに付与されている固有情報４２が読み取られる。
【００４２】
一方、印刷データに基づいてサーマルヘッド１９が動作されてＹ（イエロー），Ｍ（マゼンタ），Ｃ（シアン）の三原色のインクに加えて黒インクの４色を重ね合せて所持人の顔画像が中間転写フィルム２１の表面にカラー印刷される。これら複数色のインクの重ね合わせによる印刷は、中間転写フィルム２１がサーマルヘッド１９をインクの色数と同じ回数往復することで行われる。また、印刷される情報は、反転画像であるという特徴がある。なお、印刷色は上記４色のインクに加えて、蛍光顔料を含んだインクなど機能性インクを付与してもよい。
【００４３】
この所持人の顔画像のカラー印刷後、通帳固有情報が付与されたセキュリティ情報が中間転写フィルム２１の表面にサーマルヘッド１９により印刷される。
【００４４】
このようにカラー顔画像、及び通帳固有情報が付与されたセキュリティ情報が印刷された中間転写フィルム２１は順方向（ヒートローラ３５の方向）に巻き取られ、図５（ａ）に示すように経路途中の転写部マーク検知センサ３９によって中間転写フィルム２１の位置が把握される。この把握結果に基づいて転写開始位置まで中間転写フィルム２１が送られる。
【００４５】
また、このとき通帳類Ｔは、転写される頁が開かれた状態で図５（ｂ）に示すように取り込まれて、ヒートローラ３５に対して決められた位置に搬送される。転写される頁は、表紙見返し頁でも、他の中紙頁でもかまわない。
【００４６】
このように互いに位置決めされた中間転写フィルム２１と通帳類Ｔの該当ベージは、図５（ｃ）に示すように円周の一部が切り欠かれた形状の金属製のヒートローラ３５の回転と共に合わされ、搬送と同時に加圧されるとともに加熱される。その後、図６に示すように通帳類Ｔに対して６０°〜１１０°の角度をもって転写フィルムベース２６が引き上げられて、固有印刷情報と受像兼接着層２９、ホログラム層２８の転写が完了し、図７に示すように固有情報４２ａが転写されたものを含み、数字、文字、記号、バーコード等からなるセキュリティ情報４６及び所持人のカラー顔画像４４が転写される。転写が完了した通帳類Ｔは、図５（ｄ）に示すように頁が開かれた状態のまま次の第２のＯＣＲ読取部９に搬送される。
【００４７】
この第２のＯＣＲ読取部９で通帳固有情報４２ａとセキュリティ情報４６が読み取られる。
【００４８】
第２のＯＣＲ読取部９を通過した通帳類Ｔは折畳み部１４に送られて折り畳まれたのち、無線ＩＣ Ｒ／Ｗ部１０へ送られる。通帳類が不良の場合には無線ＩＣ Ｒ／Ｗユニット１０により不良である旨のデータが通帳類Ｔの無線ＩＣ４３に記録される。
【００４９】
一方、第２のＯＣＲ読取部９で読み取ったデータの照合結果が正しかった場合には、印刷データに基づいて無線ＩＣ４３への記録データが生成され、無線ＩＣＲ／Ｗユニット１０により通帳類固有情報が付与されたセキュリティ情報を通帳類Ｔの無線ＩＣ４３に記録（書き込み）する。
【００５０】
無線ＩＣＲ／Ｗユニット１０で、無線ＩＣ４３に情報が記録された正常通帳類は排出ゲート１１の動作により正常通帳集積部１２へ排出され、不良通帳類は不良通帳類類集積部１３へ排出されてそれぞれ集積される。
【００５１】
ところで、上記したように構成される通帳類印刷装置は、図１及び図９に示すように通帳類Ｔを単一かつ独立して駆動可能な構成単位のブロックに分割されている。
【００５２】
即ち、上記した通帳取込部４、ＯＣＲ読取部５、ページめくり部６及び直接印刷部７によって第１ブロック８１が構成されている。また、中間転写印刷部８によって第２ブロック８２が構成されている。また、ＯＣＲ読取部９によって第３ブロック８３が構成されている。さらに、折りたたみ部１４、無線１ＣＲ／Ｗ部１０、排出ゲート９、正常通帳集積部１２、不良通帳集積部１３によって第４ブロック８４が構成されている。
【００５３】
第１乃至第４のブロック８１〜８４の動作は、それぞれ第１〜第４の制御部８６〜８９によって制御される。第１〜第４の制御部８６〜８９は主制御部９１に接続され、主制御部９１は第１乃至第４のブロック８１〜８４毎の制御部８６〜８９の全体を管理し、通帳作成の全工程を制御するようになっている。
【００５４】
上記した第１乃至第４のブロック８１〜８４内には、通帳類は最大でも１冊までしか存在しえず、また、個々のブロック８１〜８４はブロック間の通帳類の受け渡しを除いてはブロック８１〜８４内の通帳類の搬送を他のブロックの状態に影響されることなく行うことができるようになっている。
【００５５】
また、第１乃至第４のブロック８１〜８４には、それぞれ通帳類の搬送ジャムを検出する判別手段としてのジャムセンサ９５が配設されている。
【００５６】
ジャム等の障害が発生した場合においては、該当ブロックの制御部のみが障害停止となり、下流のブロックは、そのまま作成を継続することが可能となっている。
【００５７】
また、上流のブロックは該当ブロックが停止したため待ち状態となるが、該当ブロックの障害が取り除かれ、復帰した時点で作成を継続することが可能となる。
【００５８】
つぎに、第１乃至第４のブロック８１〜８４の何れかで動作不良が発生した場合の制御について図９を参照して説明する。
【００５９】
例えば、第２のブロック８２において通帳類の搬送ジャムが発生した場合には、ジャムセンサ９５から第２の制御部８７へジャム検知信号が送信される。この送信に基づき第２の制御部８７は第２のブロック８２の動作を中断させるとともに、主制御部９１にジャム発生を通知する。
【００６０】
このとき、第３のブロック８３と第４のブロック８４の動作は継続可能であり、個々の動作が終了した時点で主制御部９１に動作が終了したことを通知する。
【００６１】
一方、第２のブロック８２の上流に位置する第１のブロック８１はブロック内で閉じた工程は継続して行うことが出来るが、工程が終了し、第２のブロック８２に通帳類の受け渡しを行う時点で第２のブロック８２の通帳類受け取り待ちが生じるため、それを主制御部９１に通知する。
【００６２】
主制御部９１では、第２のブロック８２の下流側の第３及び第４のブロック８３，８４が動作を終了し、かつ上流側の第１のブロック８１が通帳受け渡し待ちで停止状態になったのを確認した後、表示部９２に搬送ジャム障害を表示してオペレータに通知する。
【００６３】
この通知に基づいてオペレータは第２のブロック８２でジャムした通帳類を取り除き、復帰の指示を例えばタッチパネル９３等のインターフェイスにより主制御部９１に通知する。
【００６４】
第２のブロック８２はジャムした通帳類が取り除かれたことにより、通帳類の受け取り待ちを解除し、第１のブロック８１からの通帳類を受け取ることが可能となる。以降は、通常類の通帳作成動作が引き続き行われる。
【００６５】
このように、通帳類の搬送ジャム障害などが生じた場合においても、搬送ジャム障害が生じたブロックの動作のみを停止させることにより、その下流側のブロックはそのまま通帳類の作成動作を継続でき、また、上流側のブロックは、停止されたブロックが復帰した時点で作成動作を継続することが可能となる。
【００６６】
上記したように、装置を複数のブロック８１〜８４に分割し、これら複数のブロック８１〜８４毎に制御部８６〜８９を配設し、これら複数のブロック８１〜８４の動作を独立的に制御するため、通帳類の搬送ジャム障害などが生じた場合においては、搬送ジャム障害が生じたブロックの動作のみを停止させることができる。従って、搬送ジャム障害が生じたブロックの下流側のブロックはそのまま通帳類の作成動作を継続でき、また、上流側のブロックは、停止されたブロックが復帰した時点で作成動作を継続することが可能となる。よって、障害復帰時の処理動作が容易になり、操作員の負担を軽減でき、また、工程中の通帳類の廃棄が少なくなり、通帳類作成の歩留まりも向上できる。
【００６７】
なお、上記一実施の形態では、便宜上４つのブロックに分割してそれぞれに制御部を設けたが、通帳類を単一、かつ、独立して駆動可能な構成単位に分割することが前提であるため、ブロック数は４つに限らないし、ブロック内の構成も上記した構成に限らない。
【００６８】
その他、本発明は、その要旨の範囲内で種々変形実施可能なことは勿論である。
【図面の簡単な説明】
【００６９】
【図１】本発明の一実施の形態である通帳類印刷装置を概略的に示す構成図。
【図２】同通帳類印刷装置に備えられる転写印刷部を示す構成図。
【図３】同転写印刷部で用いられる転写フィルムを示すもので、（ａ）はその第１の例、（ｂ）はその第２の例、（ｃ）はその第３の例を示す構成図。
【図４】同通帳類印刷装置で印刷される通帳類を開いた状態で示す平面図。
【図５】同転写印刷部の転写動作を示す図。
【図６】同転写印刷部の転写動作の一部を拡大して示す図。
【図７】同転写印刷部で印刷された通帳類を示す平面図。
【図８】同印刷装置を構成する各ブロックの駆動制御系を示すブロック図。
【符号の説明】
【００７０】
Ｔ…通帳類、８１…取込ブロック、８２…印刷ブロック、８４…排出ブロック、８６，８７，８９…制御部、９１…主制御部（制御手段）、９３…ジャムセンサ（判別手段）。
【図１】
2006281666.tif 000003
【図２】
2006281666.tif 000004
【図３】
2006281666.tif 000005
【図４】
2006281666.tif 000006
【図５】
2006281666.tif 000007
【図６】
2006281666.tif 000008
【図７】
2006281666.tif 000009
【図８】
2006281666.tif 000010